(57)【要約】【課題】頭部装着式拡大鏡の提供。【解決手段】帽子型の本体に、分離、組合せ可能な方式で照明装置を具えた電池ケースが設置され、該照明装置が枢接手段で電池ケースに組み付けられ、該枢接手段がランプロッドとランプロッドシートを枢設してなり、該ランプロッドの一端の第１枢接部が該照明装置に枢接され、その別端の第２枢接部がランプロッドシートに枢接され、ランプロッドシートの外縁の二つの対応側面にそれぞれ枢接棒が凸設されて電池ケースが組み付けられ、また、該ランプロッドシートの電池ケース端に対応する端縁面に別に歯状の係止部が設けられ、該係止部該電池ケースの係止凸縁と嵌合し、該枢接手段が該照明装置と該電池ケースの間に枢設される時、照明装置が電池ケースの水平方向に対して全円周角度回転可能と、垂直方向の仰俯角角度調整可能とされた。【選択図】        図３
2004271683.tif 000002
【特許請求の範囲】
【請求項１】
帽子式本体、電池ケース、照明装置、及び枢接手段を具え、該帽子式本体が使用者の頭部への着用に供され、該帽子式本体の前端にレンズセットが枢設され、後側にヘッドバンドセットが枢設された頭部装着式拡大鏡において、
該帽子式本体の上端の適当な部分に電池ケースを収容する収容溝座が開設され、
該電池ケースが該収容溝座に対応する構造形態とされ、該電池ケースの上端に枢接口が形成されて該枢接手段の一端が枢設され、該枢接口の内壁にあって該枢接手段に対応する位置に少なくとも一つの係止凸縁が横設され、
該照明装置は照明光を発生し、スイッチ部が設置されて背面に該枢接手段の一端が枢接される枢接シートが開設され、
該枢接手段はランプロッドとランプロッドシートで組成され、該ランプロッドは略Ｔ字形を呈し、二端に枢接部が設けられ、第１枢接部が該照明装置に枢接され、第２枢接部が該ランプロッドシートに枢接され、該ランプロッドシートの内側の中空部分に該ランプロッドの第２枢接部が枢接され、該ランプロッドシートの外側の二つの対応側面にそれぞれ枢接ロッドが凸設されて該電池ケースの枢接口に枢接され、該ランプロッドシートにあって該電池ケースの一端に対応する端縁面に別に歯状の係止部が形成され、該係止部が該枢接口内の係止凸縁と係合し、これにより枢接手段が該照明装置と該電池ケースの間に枢設され、該照明装置が電池ケースに対して水平方向に全円周角度回転可能とされると共に、垂直方向の仰俯角度調整可能とされたことを特徴とする、頭部装着式拡大鏡。
【請求項２】
請求項１に記載の頭部装着式拡大鏡において、必要に応じてランプロッドの回転角度を制限する時、ランプロッドの第２枢接部に近い外周面に設置空間が削設され、該ランプロッドシートの内壁面にストッパ縁が凸設され、ランプロッドとランプロッドシートが枢設される時、該ストッパ縁が該設置空間内に位置して該ランプロッドの回転角度を制限することを特徴とする、頭部装着式拡大鏡。
【請求項３】
請求項１に記載の頭部装着式拡大鏡において、電池ケースの背面に少なくとも一つの収容孔部が設けられ、該収容孔部に磁性体が設置されると共にケースカバーでその背面が被覆され、電池ケースが帽子式本体より取り外される時に金属材質平面に吸着可能とされたことを特徴とする、頭部装着式拡大鏡。
【請求項４】
請求項１に記載の頭部装着式拡大鏡において、ランプロッドの第２枢接部が半分に切り割られて一対をなす構造とされ、且つランプロッドの円周面に内に凹んだ環状溝が形成され、ランプロッドシートにあって第２枢接部に対応する内壁面に位置決め係止縁が凸設され、該環状溝が該位置決め係止縁に係止されて位置決め可能とされたことを特徴とする、頭部装着式拡大鏡。
【請求項５】
請求項１に記載の頭部装着式拡大鏡において、照明装置及びランプロッド内縁にそれぞれ中空構造が設けられ、該中空構造がランプロッドシートの中空部分の内縁と連通して導線を電池ケースより照明装置に連接するのに供されることを特徴とする、頭部装着式拡大鏡。
【発明の詳細な説明】
【０００１】
【発明の属する技術分野】
本発明は一種の頭部装着式拡大鏡に係り、特に照明及び拡大機能を具えた頭部装着式の装置に関する。
【０００２】
【従来の技術】
一般に頭部装着式拡大鏡の多くは精密製造の産業、或いは製品体積が小さい工場で使用される。図１は本発明に係る従来の技術には本発明者により提出された特許文献１、２、３の構造を示す。この従来の構造は、頭部装着式拡大鏡はその固定座の底端に少なくとも一つの挟持シートが設けられ、拡大レンズの上端に延設された係止突起を挟持し、該固定座の上端に枢接シートが開設され、該枢接シートに発光体底部の回転部が枢接され、発光体が回転部の枢接シート内での回転によりその仰俯角度を調整できるものとされている。しかし、この周知の技術は使用上、発光体に仰俯角度調整機能を持たせているが、その角度調整の幅は有限であり、また、発光体の水平方向の左右角度調整については小角度の移動しかできず、大きな幅の調整機能がないことが残念なところである。ゆえにこの周知の技術は改良の必要がある。また、周知の技術の発光体は使用機能の面で、頭部装着式拡大鏡に固定され、このため取り外して単独で使用することはできず、使用者が使用過程で、環境或いは特殊原因により頭部装着式拡大鏡を取り外す必要が生じた場合、その照明機能はこのために消失し、或いは頭部装着式拡大鏡が取り外される時、使用者の両手は作業で塞がっているためにそれを保持できず、作業上の不便が形成され、ゆえに改善の必要がある。
【０００３】
【特許文献１】
中国実用新案登録第０１２３２３９４．２号明細書
【特許文献２】
米国特許出願第０９／９８４，５８９号明細書
【特許文献３】
ドイツ意匠登録第４０１０９５３２．０号
【０００４】
【発明が解決しようとする課題】
本発明の主要な目的は、一種の頭部装着式拡大鏡を提供することにあり、それは、照明光を発生することのできる照明装置が、使用の必要に応じて仰俯角度或いは左右角度の調整可能とされ、また単独で取り外して使用できるよう形成された頭部装着式拡大鏡であるものとする。
【０００５】
【課題を解決するための手段】
請求項１の発明は、帽子式本体、電池ケース、照明装置、及び枢接手段を具え、該帽子式本体が使用者の頭部への着用に供され、該帽子式本体の前端にレンズセットが枢設され、後側にヘッドバンドセットが枢設された頭部装着式拡大鏡において、
該帽子式本体の上端の適当な部分に電池ケースを収容する収容溝座が開設され、
該電池ケースが該収容溝座に対応する構造形態とされ、該電池ケースの上端に枢接口が形成されて該枢接手段の一端が枢設され、該枢接口の内壁にあって該枢接手段に対応する位置に少なくとも一つの係止凸縁が横設され、
該照明装置は照明光を発生し、スイッチ部が設置されて背面に該枢接手段の一端が枢接される枢接シートが開設され、
該枢接手段はランプロッドとランプロッドシートで組成され、該ランプロッドは略Ｔ字形を呈し、二端に枢接部が設けられ、第１枢接部が該照明装置に枢接され、第２枢接部が該ランプロッドシートに枢接され、該ランプロッドシートの内側の中空部分に該ランプロッドの第２枢接部が枢接され、該ランプロッドシートの外側の二つの対応側面にそれぞれ枢接ロッドが凸設されて該電池ケースの枢接口に枢接され、該ランプロッドシートにあって該電池ケースの一端に対応する端縁面に別に歯状の係止部が形成され、該係止部が該枢接口内の係止凸縁と係合し、これにより枢接手段が該照明装置と該電池ケースの間に枢設され、該照明装置が電池ケースに対して水平方向に全円周角度回転可能とされると共に、垂直方向の仰俯角度調整可能とされたことを特徴とする、頭部装着式拡大鏡としている。
請求項２の発明は、請求項１に記載の頭部装着式拡大鏡において、必要に応じてランプロッドの回転角度を制限する時、ランプロッドの第２枢接部に近い外周面に設置空間が削設され、該ランプロッドシートの内壁面にストッパ縁が凸設され、ランプロッドとランプロッドシートが枢設される時、該ストッパ縁が該設置空間内に位置して該ランプロッドの回転角度を制限することを特徴とする、頭部装着式拡大鏡としている。
請求項３の発明は、請求項１に記載の頭部装着式拡大鏡において、電池ケースの背面に少なくとも一つの収容孔部が設けられ、該収容孔部に磁性体が設置されると共にケースカバーでその背面が被覆され、電池ケースが帽子式本体より取り外される時に金属材質平面に吸着可能とされたことを特徴とする、頭部装着式拡大鏡としている。
請求項４の発明は、請求項１に記載の頭部装着式拡大鏡において、ランプロッドの第２枢接部が半分に切り割られて一対をなす構造とされ、且つランプロッドの円周面に内に凹んだ環状溝が形成され、ランプロッドシートにあって第２枢接部に対応する内壁面に位置決め係止縁が凸設され、該環状溝が該位置決め係止縁に係止されて位置決め可能とされたことを特徴とする、頭部装着式拡大鏡としている。
請求項５の発明は、請求項１に記載の頭部装着式拡大鏡において、照明装置及びランプロッド内縁にそれぞれ中空構造が設けられ、該中空構造がランプロッドシートの中空部分の内縁と連通して導線を電池ケースより照明装置に連接するのに供されることを特徴とする、頭部装着式拡大鏡としている。
【０００６】
【発明の実施の形態】
本発明の頭部装着式拡大鏡は、帽子型の本体に、分離、組合せ可能な方式で照明装置を具えた電池ケースが設置され、該照明装置が枢接手段で電池ケースに組み付けられ、該枢接手段がランプロッドとランプロッドシートを枢設してなり、該ランプロッドの一端の第１枢接部が該照明装置に枢接され、その別端の第２枢接部がランプロッドシートに枢接され、ランプロッドシートの外縁の二つの対応側面にそれぞれ枢接棒が凸設されて電池ケースが組み付けられ、また、該ランプロッドシートの電池ケース端に対応する端縁面に別に歯状の係止部が設けられ、該係止部該電池ケースの係止凸縁と嵌合し、該枢接手段が該照明装置と該電池ケースの間に枢設される時、照明装置が電池ケースの水平方向に対して全円周角度回転可能と、垂直方向の仰俯角角度調整可能とされた。
【０００７】
【実施例】
図２から図５は、本発明の頭部装着式拡大鏡を示し、それは、帽子式本体１０、電池ケース２０、照明装置３０、及び枢接手段４０を具え、そのうち、帽子式本体１０にレンズセット５０とヘッドバンドセット６０が枢設され、該レンズセット５０の構造、及び該ヘッドバンドセット６０の組成構造はそれぞれ出願人による従来の技術（上述の特許文献１、２、３）により提供されているため、ここでは説明を省略する。本発明の特徴は以下のとおりである。
【０００８】
該帽子式本体１０の上縁の適当な部分に収容溝座１１が開設され、電池ケース２０が組合せ式態様を以てその内側に収容され、該電池ケース２０が該収容溝座１１より取り出せるものとされ、該収容溝座１１の底縁面の適当な部分に外向きに貫通、連通する貫通孔１２が設けられている。
【０００９】
該電池ケース２０は該収容溝座１１の形態に対応する構造とされ、その上縁の適当な部分に枢接口２１が形成されて、該枢接口２１は該枢接手段４０の一端の枢設に供され、また、該枢接口２１の内壁面にあって、枢接手段４０に対応する部分に、横向きに係止凸縁２２が設けられ、また、該電池ケース２０の背面に少なくとも一つの収容孔部２３が形成され、該収容孔部２３に磁性体２４が収容されると共にケースカバー２５でその背面部分が被覆され、該電池ケース２０が該帽子式本体１０より取り外される時、金属（或いは非金属材質）の平面に吸着できる。
【００１０】
該照明装置３０は、照明光を発生できる部品とされ、その内部に高輝度のＬＥＤランプ３１が設置され、外側の上縁面に制御用のスイッチ部３２が設けられ、また、背面に別に枢接手段４０の一端の枢設に供される枢接シート３３が開設されている。
【００１１】
該枢接手段４０はランプロッド４１とランプロッドシート４２で組成され、ランプロッド４１は略Ｔ字形を呈し、二端に枢接部４１１、４１２が設けられその第１枢接部４１１の二側面が外向きに突出するロッド体とされて、照明装置３０の枢接シート３３内に枢接され、第２枢接部４１２が半分に切り開かれて一対を成す構造とされ、且つ適当な部分の円周面に内に凹んだ環状溝４１２１が形成されて、該ランプロッドシート４２内側に枢接されている。
【００１２】
該ランプロッドシート４２は矩形ブロック体とされ、その内側の中空部分の内壁面に位置決め係止縁４２１が凸設され、ランプロッド４１の環状溝４１２１を係止位置決めするのに供され、外縁の二つの対応側面に枢接ロッド４２２が設けられ、この二つの枢接ロッド４２２が該電池ケース２０の枢接口２１内に枢接され、また、該ランプロッドシート４２にあって、電池ケース２０の一端に対応する端縁面に別に歯状の係止部４２３が設けられ、該係止部４２３が該枢接口２１内の係止凸縁２２と嵌合し、該ランプロッド４１が仰俯角度調整動作可能とされている。
【００１３】
該照明装置３０及びランプロッド４１内縁にはそれぞれ中空部３４、４３が設けられ、且つ、これら二つの中空部３４、４３がランプロッドシート４２の中空内縁と連通し、導線（図示せず）を用いて電池ケース２０が該照明装置３０に連接され、また、上述のランプロッド４１が該ランプロッドシート４２内に枢接される時、ランプロッド４１が全円周３６０度の回転可能とされるが、照明装置３０の回転過度により内部導線配線位置構造に影響が生じるのを防止するため、或いは必要に応じてランプロッド４１の回転角度を制限する必要がある場合に、ランプロッド４１の二つの枢接部４１１、４１２に近い外周面に別に設置空間４１３が削設され、該ランプロッドシート４２の内壁面に別にストッパ縁４２４が凸設され、ランプロッド４１とランプロッドシート４２が枢設される時、該ストッパ縁４２４が該設置空間４１３内に位置し、該ランプロッド４１の回転の角度を制限する。
【００１４】
以上の構成要件で組成され、該照明装置３０と電池ケース２０が枢接手段４０により枢設され、該照明装置３０が電池ケース２０に対して水平方向の全円周角度回転可能とされると共に、垂直方向の仰俯角度調整可能とされ、また、該電池ケース２０に枢設された照明装置３０が、必要に応じて帽子式本体１０より取り外して単独使用できるものとされている。
【００１５】
さらに図６から図１０に示されるように、本発明を使用する時、該照明装置３０は必要に応じて仰俯角度或いは左右の大角度調整が行え、その仰俯角度調整時には、該ランプロッドシート４２の係止部４２３が電池ケース２０内の係止凸縁２２と嵌挿されて調整位置決めされる。それが円周方向の左右回転調整される時（図８参照）、該ストッパ縁４２４が設置空間４１３内にあってランプロッド４１の回転角度を制限する。照明装置３０を単独で取り外したい時は、手指或いは細い物品を帽子式本体１０の貫通孔１２部分に差し込んで下から上に電池ケース２０を押せば、簡単に照明装置３０を取り外せる。電池ケース２０内には磁性体２４が設けられているため、取り外した照明装置３０を平面におけるほかに金属材質の平面に吸着させることができ、使用者が作業する時に便利であり、また夜間の作業時に照明設備として使用できる。
【００１６】
【発明の効果】
総合すると、本発明の頭部装着式拡大鏡は、極めて実用性、進歩性を有する設計であり、またその構造は従来にはなく、ゆえに新規性を有し、特許の要件に符合する。
【図面の簡単な説明】
【図１】周知の技術の斜視図である。
【図２】本発明の斜視図である。
【図３】本発明の分解斜視図である。
【図４】本発明のもう一つの分解斜視図である。
【図５】本発明の組合せ断面図である。
【図６】本発明の仰俯角度調整断面表示図である。
【図７】本発明のもう一つの仰俯角度調整断面表示図である。
【図８】本発明の円周回転角度調整立体表示図である。
【図９】本発明の照明装置単独使用表示図である。
【図１０】本発明の照明装置のもう一つの単独使用表示図である。
【符号の説明】
１０  帽子式本体            １１  収容溝座
１２  貫通孔                ２０  電池ケース
２１  枢接口                ２２  係止凸縁
２３  収容孔部              ２４  磁性体
２５  ケースカバー          ３０  照明装置
３１  ＬＥＤランプ          ３２  スイッチ部
３３  枢接シート            ３４  中空部
４０  枢接手段              ４１  ランプロッド
４１１  第１枢接部          ４１２  第２枢接部
４１２１  環状溝            ４１３  設置空間
４２  ランプロッドシート    ４３  中空部
４２１  位置決め係止縁      ４２２  枢接ロッド
４２３  係止部              ４２４  ストッパ縁
５０  レンズセット          ６０  ヘッドバンドセット
【図１】
2004271683.tif 000003
【図２】
2004271683.tif 000004
【図３】
2004271683.tif 000005
【図４】
2004271683.tif 000006
【図５】
2004271683.tif 000007
【図６】
2004271683.tif 000008
【図７】
2004271683.tif 000009
【図８】
2004271683.tif 000010
【図９】
2004271683.tif 000011
【図１０】
2004271683.tif 000012